(57)【要約】【課題】  本発明は、開閉動作域の終点に向かって滑らかに制動力が変化する新規な開閉装置を提供することを目的とする。【解決手段】  基部に対して蓋部が開閉可能となる開閉装置であって、この開閉装置には複数のアームが枢着・連結された折り畳み式のステーが１ないし複数個備えられてなり、前記折り畳み式のステーの少なくとも一つに、当該ステーの伸縮に応じて伸縮すると共に揺動する直線運動式のダンパを備えたことを特徴とする開閉装置。【選択図】  図７
2007023556.tif 000002
【特許請求の範囲】
【請求項１】
基部に対して蓋部が開閉可能となる開閉装置であって、この開閉装置には複数のアームが枢着・連結された折り畳み式のステーが１ないし複数個備えられてなり、前記ステーの少なくとも一つに、当該ステーの伸縮に応じて伸縮すると共に揺動する直線運動式のダンパを備えたことを特徴とする開閉装置。
【請求項２】
蓋部が開状態の際に、ダンパのピストンロッドが伸状態となる請求項１に記載の開閉装置。
【請求項３】
ダンパにおけるピストンロッド若しくはケーシングを、アーム同士の枢着点より内側に枢着することにより、蓋部が開状態の際に、ダンパのピストンロッドが伸状態となる請求項２に記載の開閉装置。
【請求項４】
蓋部が開状態の際に、ダンパのピストンロッドが縮状態となる請求項１に記載の開閉装置。
【請求項５】
ダンパにおけるピストンロッド若しくはケーシングを、アーム同士の枢着点より外側に枢着することにより、蓋部が開状態の際に、ダンパのピストンロッドが縮状態となる請求項４に記載の開閉装置。
【請求項６】
蓋部を一定の開状態で維持するためのストッパが備えられてなる請求項１ないし５のいずれか１項に記載の開閉装置。
【請求項７】
ストッパが、アームに設けられた突起である請求項６に記載の開閉装置。
【請求項８】
一方向のみに制動力が発生するダンパが用いられてなる請求項１ないし７のいずれか１項に記載の開閉装置。
【発明の詳細な説明】
【技術分野】
【０００１】
本発明は、基部に対して蓋部が開閉可能となるように構成された開閉装置に関する。
【背景技術】
【０００２】
最近、キッチンの引き出し前面や膜板前面などを開閉可能に構成し、包丁や箸などの小物が簡単に収納可能となるように設計したシステムキッチンが研究・開発されており（例えば、特許文献１〜４。）、既に市販されているものもある。
【０００３】
【特許文献１】特開２００３−１８９９５４号公報
【特許文献２】特開２００３−１８９９５６号公報
【特許文献３】特開２００３−３２５２５４号公報
【特許文献４】特開２００４−２７５３４３号公報
【０００４】
これら特許文献１〜４に記載の発明は、引出し本体を引き出すことなく、使用度の高い収納物を容易に収納・取り出すことができる補助収納部を有する引き出し構造を提供することを目的とするものであり、引出し前面に設けた補助収納部（蓋部）が、揺動運動或いは前後運動によって開閉するように構成されたものである。
【０００５】
しかしながら、これら特許文献１〜４に記載された引出し構造のような開閉装置においては、補助収納部の開閉動作の終点において、当該補助収納部及びこれに収納される物品に対して慣性力が生じるため、大きな衝撃音が生じたり、当該補助収納部や収納された物品において破損・変形が発生したりする問題がある。
【０００６】
これは、主として開閉動作の終点において補助収納部が急停止することから生じる問題であり、このような補助収納部の急停止を防止するためには、ダンパ（ショックアブソーバ）を取り付け、前記補助収納部の動作時における運動エネルギーを減衰する手段が講じられるのが一般的である。
【０００７】
ここで、このような開閉装置の動作、特に、基部に対して蓋部が揺動（スイング）する動作を制御するダンパとしては、図１の断面図に示すような回転運動式のダンパが一般的に用いられる。
【０００８】
図１に示す回転運動式のダンパ１１は、内壁に隔壁９を突設した円筒状のケーシング２、当該ケーシング２内に注入された流体、当該ケーシング２に対して回転可能に組み合わされたピストン（回転翼）３を備えたロータからなるダンパ１１である。
【０００９】
そして、図１に示すダンパ１１は、図中、右回りにロータが回転する力が加えられると、ピストン３とケーシング２内壁とが形成する極僅かの隙間（クリアランス）を通過してケーシング２内の作動流体が、圧力室側となる部屋２１から非圧力室側となる部屋２２へ流入し、ピストン３が回転方向に移動する。
【００１０】
このとき、作動流体が、ピストン３とケーシング２内壁とが形成する極僅かな隙間を通過する際に生じる抵抗力によって、ピストン３は回転方向とは逆方向への抵抗力を受け、運動エネルギーが減衰されてピストン３の移動速度はゆっくりとなり、ピストン３が隔壁９に近接するに至るまでほぼ一定のダンパ効果（制動力）が得られる仕組みとなっている。
【００１１】
一方、左回りにロータが回転する力が加えられた場合にあっても、ピストン３はその回転方向とは逆方向への抵抗力を受けて、ピストン３が隔壁９に近接するに至るまでほぼ一定の制動力（ダンパ効果）が得られるのであり、即ち、図１に示す回転運動式のダンパ１１は、ロータに対していずれの回転方向に回転する力が加えられても常に一定の制動力が発生するのである。
【００１２】
そのため、このような回転運動式のダンパを開閉装置に備え付けると、その開閉動作域すべてにおいて、常に一定の制動力が生じることになる。
【発明の開示】
【発明が解決しようとする課題】
【００１３】
しかしながら、蓋部の動作域における運動エネルギーの減衰が求められる段階は、主として当該蓋部を開ける際の終了動作域、若しくは当該蓋部を閉める際の終了動作域であり、即ち、蓋部の開閉動作途中において常に余計な抵抗が加わることは必ずしも要求されるものではない。
【００１４】
そこで、本発明者は、このような問題を解決すべく鋭意検討を重ねた結果、基部に対して蓋部が開閉可能となる開閉装置であって、この開閉装置には複数のアームが枢着・連結された折り畳み式のステーが１ないし複数個備えられてなり、前記折り畳み式のステーの少なくとも一つに、当該ステーの伸縮に応じて伸縮すると共に揺動する直線運動式のダンパを備えたことを特徴とする本発明の開閉装置（以下、本発明装置と称する。）を完成するに至ったのである。
【００１５】
即ち、本発明者は、この種開閉装置において、折り畳み式のステーを１ないし複数個備えると共に、前記折り畳み式のステーの少なくとも一つに、当該ステーの伸縮に応じて伸縮する直線運動式のダンパを備えれば、当該ステーの伸縮に応じて、備え付けたダンパが伸縮することから、制動力が生じ、蓋部の開閉動作時における運動エネルギーを減衰することができるとの知見を得たのである。
【００１６】
特に、ダンパとして直線運動式のものを選択し、これを開閉装置に備え付けるに当たり、折り畳み式のステーの伸縮に応じて伸縮すると共に揺動するように備え付ければ、開閉動作における中程の動作域には比較的軽度の制動力が生じ、最終動作域に向かって徐々に強い制動力が生じる開閉装置を構築することができるとの知見を得たのである。
【００１７】
本発明は、上記知見に基づき完成されたものであり、開閉動作域の終点に向かって滑らかに制動力が変化する新規な開閉装置を提供することを目的とする。
【課題を解決するための手段】
【００１８】
以上の課題を解決する手段である本発明装置は、基部に対して蓋部が開閉可能となる開閉装置であって、この開閉装置には複数のアームが枢着・連結された折り畳み式のステーが１ないし複数個備えられてなり、前記折り畳み式のステーの少なくとも一つに、当該ステーの伸縮に応じて伸縮すると共に揺動する直線運動式のダンパを備えたことを特徴とする。
以下、本発明装置について詳細に説明する。
【００１９】
本発明装置は、基部に対して蓋部が開閉可能となるものであれば特に限定されるものではなく、具体的に例えば、基部に対して蓋部が枢着されてなり、概枢着点を中心にして蓋部が揺動運動により開閉するものや、蓋部が基部からスライドその他の前後運動により開閉するものなどを挙げることができる。
【００２０】
又、本発明装置には、折り畳み式のステーが１ないし複数個備えられるが、このステーとしては、複数のアームをそれぞれ枢着・連結することにより、概枢着点を関節として折り畳み可能となるものであれば特に限定されるものではなく、本発明装置においては、蓋部が開状態の際に前記ステーが伸び、一方、蓋部が閉状態の際には前記ステーが折り畳まれて縮むように備えられる。
【００２１】
なお、前記アームとしては、本発明装置の開閉動作によって著しい変形や破損を生じることがない程度の物理的強度を有するものであれば、特に限定されるものではなく、棒状のものであっても板状のものであっても良く、又、直線的な棒状体や、正面視、略長方形の板状体のようなものに限らず、途中で屈曲したものや、正面視、略三角形や略円形などの板状体であっても良い。
【００２２】
そして、本発明装置においては、前記折り畳み式のステーの少なくとも一つに、前記ステーの伸縮に応じて伸縮すると共に揺動する直線運動式のダンパを備えた点に最も大きな特徴を有する。
【００２３】
即ち、本発明装置においては、折り畳み式のステーを１ないし複数個備えると共に、前記折り畳み式のステーの少なくとも一つに、当該ステーの伸縮に応じて伸縮する直線運動式のダンパを備えているから、当該ステーの伸縮に応じて備え付けたダンパが伸縮し、これより、蓋部の開閉動作時における運動エネルギーが減衰され、開閉動作の終点における急停止を防止することができるのである。
【００２４】
又、備え付けたダンパは、前記ステーの伸縮に応じて伸縮すると共に揺動することから、開閉動作の中程においては、開閉動作に対するダンパの伸縮幅が小さいため、比較的軽度の制動力しか生じないのであり、その後、開閉動作の最終動作域に向かって、開閉動作に対するダンパの伸縮幅が徐々に大きくなるため、開閉動作の最終動作域においては、強い制動力が生じるのである。
【００２５】
加えて、開閉装置に対して直接ダンパを備え付けた場合、開閉装置における蓋部が開状態の際に、更に過度の荷重が蓋部に加えられると、その負担がダンパに集中的に加えられて、ダンパが破損・変形するといった問題が生じるが、本発明装置においては、当該開閉装置に備え付けたステーにダンパを備えているから、ダンパに対して過度の負担が加えられることが緩和され、使用上の耐久性が向上するのである。
【００２６】
ここで、本発明装置において用いられる直線運動式のダンパとしては、流体を注入した略筒状（シリンダ状）のケーシング及び前記ケーシング内壁に沿って摺動すると共に該ケーシング内を圧力室と非圧力室に仕切るピストン及びピストンロッドからなるものであれば特に限定されるものではない。
【００２７】
又、このケーシングに注入する「流体」としては、ダンパをいわゆる「オイルダンパ」として構築する場合には、水や油等の各種液体から選ばれた少なくとも一種を適宜選択して用いることができ、ダンパをいわゆる「エアダンパ」として構築する場合には空気や窒素、酸素及び二酸化酸素等の各種気体から選ばれた少なくとも一種を適宜選択して用いることができる。
【００２８】
なお、ダンパをエアダンパとして構成する場合には、必ずしも積極的に流体を注入する必要は無く、大気中にある空気を利用しても良いのであり、従って、本発明において「流体を注入する」とは、「ケーシング内に流体を存在させる」という意味である。
【００２９】
本発明装置において、このようなダンパをステーに備える手段としては、当該ダンパが前記ステーの伸縮に応じて伸縮するように備えられるのであれば、特に限定されるものではないが、一般的には、下記の（１）〜（３）のいずれかの方法により二つの枢着点を介して備え付けられる。
【００３０】
（１）  ダンパにおけるピストンロッドを、適宜選択したステーにおけるアームに枢着し、前記ダンパにおけるケーシングを他のアームに枢着する。
（２）  ダンパにおけるケーシング若しくはピストンロッドを、適宜選択したステーにおけるアームに枢着し、前記ダンパにおけるもう一端（ピストンロッド若しくはケーシング）を基部に枢着する。
（３）  ダンパにおけるケーシング若しくはピストンロッドを、適宜選択したステーにおけるアームに枢着し、前記ダンパにおけるもう一端（ピストンロッド若しくはケーシング）を蓋部に枢着する。
【００３１】
しかしながら、例えば、枢着・連結された隣り合う２本のアームにダンパを備え付けるにあたり、アーム同士の枢着点と、アームとダンパとの二つの枢着点（アームとピストンロッドとの枢着点及びアームとケーシングとの枢着点）が、当該ダンパを底辺とする二等辺三角形を常に描くように備え付けた場合にあっては、ステーが伸縮した際に、前記ダンパとアームとの二つの枢着点が、ステーの伸縮方向に向かって単に直線的に近接・離散するためにダンパが揺動しない。
【００３２】
又、このようなダンパの備え付け状態においては、ダンパ自体の長さが邪魔になって、ステーにおけるアームのコンパクトな折り畳みの妨げとなる。
【００３３】
そこで、本発明装置においては、備え付けられたダンパがステーの伸縮に応じて伸縮すると共に揺動するように、アームが伸びた際には、ダンパがアームに沿って傾倒し、一方、アームが折り畳まれた際には、ダンパがアームに沿って立ち上がるようにダンパを備える必要がある。
【００３４】
又、本発明装置においては、蓋部が開状態の際にダンパが伸状態となるようにダンパを備え付ける場合と、蓋部が開状態の際にダンパが縮状態となるようにダンパを備え付ける場合の二通りがある。
【００３５】
蓋部が開状態の際にダンパが伸状態となるようにダンパを備え付ける具体的な手段としては、例えば、枢着・連結されたアーム同士の枢着点より内側に、ダンパにおけるピストンロッド若しくはケーシングを枢着する方法が挙げられる。
【００３６】
一方、蓋部が開状態の際にダンパが縮状態となるようにダンパを備え付ける具体的な手段としては、例えば、枢着・連結されたアーム同士の枢着点より外側に、ダンパにおけるピストンロッド若しくはケーシングを枢着する方法が挙げられる。
【００３７】
勿論、いずれの場合においても、ダンパにおけるもう一端（ケーシング若しくはピストンロッド）は、他のアーム、基部若しくは蓋部のいずれかに枢着されることになる。
【００３８】
なお、本発明装置において、蓋部が開状態の際にダンパが伸状態となるようにダンパを備え付けるか、蓋部が開状態の際にダンパが縮状態となるようにダンパを備え付けるかのいずれを選択するかについては、本発明装置の使用状況や備え付けられるダンパの特性などに応じて適宜選択すれば良いのであり、一概に限定することはできないが、一般的には、蓋部が開状態の際において与えられる虞があると予想される過剰な外的負荷に抗するために、蓋部が開状態の際にダンパが縮状態となるようにダンパを備え付けることが好ましい。
【００３９】
前述の如く、本発明装置においては、蓋部が開状態の際にステーが伸び、一方、蓋部が閉状態の際にはステーが折り畳まれて縮むように備えられる。
【００４０】
そのため、蓋部の開き加減はステーの伸びに決定されることになる。
【００４１】
しかしながら、ステーが完全に伸びきるまで蓋部が開くように構成すると、次に蓋部を閉める際にステーの折り畳みがスムーズにいかなくなる場合がある上、ステーが伸びきった状態は、アーム同士の枢着点やダンパに過度の負担が掛かり、破損や変形或いは作動不良の原因となる。
【００４２】
そこで、本発明装置においては、蓋部を開く際に、当該蓋部を一定の開状態で維持し得るストッパを設け、ステーの伸びにある程度の制限を付与することが好ましい。
【００４３】
このストッパとしては、蓋部を一定の開状態で維持し得るものであれば特に限定されるものではないが、具体的に例えば、ステーにおける隣り合うアーム間をレールや別のステーで繋ぎ、アームの開きを一定の位置で維持するものなどを挙げることができるが、本発明装置においては、部品点数を減少して製造コスト安を実現するために、一のアームに突起を設け、アームが一定の開状態に到達すると該突起が隣接するアームの側面に引っ掛かって、アームの開きを一定の位置で維持するものを採用することが好ましい。
【００４４】
なお、アームに設ける突起としては、本発明装置の使用状況下において、簡単に破損したりするものでなければ特に限定されるものではなく、例えば、アームに対して別の突起部材を溶接、接着その他の手段で設けてもよいが、本発明装置においては、部品点数を減少して製造コスト安を実現すると共に物理的強度を維持するために、アームの裏面からプレスなどの押圧手段を用いて該アームの表面に突起を盛り上げて形成したり、アームの一部を折り曲げて立ち上げ、この立ち上がりを突起として利用することが好ましい。
【００４５】
ところで、一般に開閉装置などの可動体の作動時における運動エネルギーの減衰が求められる状況は、引力などによる加速度が可動体に加わることによる可動体の急落等を防止するような場合が殆どであり、即ち、ダンパによる制動力が必要とされる状況は、可動体が一方向に動作するときのみであることが一般的で、他方へ動作する際には、余計な抵抗が加わることが要求されない場合が多い。
【００４６】
このような要求に対して、本発明装置においては、備え付けるダンパとして、一方向にのみ制動力が発生するものを用いることができる。
【００４７】
この一方向にのみ制動力が発生するダンパとしては、現在公知の一方向にのみ制動力が発生するダンパを適宜選択して用いることができ、特に限定されるものではないが、具体的に例えば、いわゆる逆止弁機構を備え付けたダンパを挙げることができる。
【００４８】
前記「逆止弁機構を備え付けたダンパ」とは、ピストンロッドを押した（引いた）場合には、逆止弁が閉じて、ケーシング内の圧力室から非圧力室への流体の流通量が少なくなることから大きな制動力が生じ、一方、ピストンロッドを引いた（押した）場合には、逆止弁が開いて、ケーシング内の圧力室から非圧力室への流体の流通量が多くなることから殆んど制動力が生じなくなるものをいい、この逆止弁機構の具体的例としては、ピストンにおいて、当該ピストンによって仕切られたケーシング内の二つの部屋の一方（圧力室）からもう一方の部屋（非圧力室）へ流体が移動可能となる「流体流通路」、当該流体流通路の経路中に設けられた「逆止弁ホール」及び「逆止弁部材」で構成されたものなどを挙げることができる。
【００４９】
即ち、この逆止弁機構は、ピストンに対して、圧力室から非圧力室へ流体が移動可能となる流体流通路が設けられていることから、ピストンの移動に応じて前記二つの部屋内における流体の充填割合を変化させることができるのであり、しかも前記流体通路の経路中において、逆止弁ホール及び逆止弁部材を設けていることから、当該逆止弁機構が開放される方向へのピストンの動きにおいては、流体が流体流通路を介して移動することができるためにピストンの動きはスムーズとなり、一方、逆止弁機構が閉塞する方向へのピストンの動きにおいては、流体流通路が閉塞するため、ピストンの動きが制御されて制動力が強く発現するのである。
【００５０】
ここで、前記流体流通路としては、逆止弁機構が開放状態の際に、当該流体流通路を流体がスムーズに通過できるものであれば特に限定されるものではないが、一般的には、ピストンによって仕切られたケーシング内の一方の部屋から逆止弁ホールに向かって連通するメイン流通路と、逆止弁ホールからもう一方の部屋へ向かって流体が相互に流出入可能となるバイパス流通路とから構成される。
【００５１】
一方、前記逆止弁ホール及び逆止弁部材としては、ピストンにおける流体流通路の経路中に空間を設けてこれを逆止弁ホールとし、当該逆止弁ホール内に挿入された逆止弁部材が流体の移動方向に応じて該ホール内におけるその位置を変えることにより、逆止弁部材が前記流体流通路を閉塞したり、開放したりするものであれば、逆止弁ホール及び逆止弁部材の形状や大きさは特に限定されるものではない。
【００５２】
ところで、逆止弁ホールに装着された逆止弁部材は、流体の移動に応じてその位置が変わるようにする必要があることから、逆止弁部材を逆止弁ホール内に固定することはできず、そのままでは逆止弁部材が逆止弁ホールから抜け落ちるといった問題が生ずる。
【００５３】
そこで、逆止弁部材の抜け落ちを防止するためには、ピストン本体とは別部材の押さえ板を取り付けたり、逆止弁ホールの一端に凸状の脱落防止部を設けたりする手段が考えられる。
【００５４】
しかしながら、ピストン本体とは別部材の押さえ板を取り付けることによって、逆止弁部材の抜け落ちを防止する手段においては、当該押さえ板をネジ等で取り付けるといった頓雑な作業が必要となるばかりか、部品点数が多くなりコスト高になるといった問題がある。
【００５５】
又、逆止弁ホールの一端に凸状の脱落防止部を設けることによって、逆止弁部材の抜け落ちを防止する手段においては、逆止弁ホールに逆止弁部材を挿入する際に、この逆止弁部材に対して相当な圧力を加えて変形し、脱落防止部の隙間からねじ込まなければならないといった頓雑な作業が必要となる上、逆止弁部材を弾性体で構成する必要があり、使用できる材料が制限されるといった問題がある。
【００５６】
更に、逆止弁部材の抜け落ちを防止するために、ピストン本体とは別部材の押さえ板を取り付けたり、逆止弁ホールの一端に凸状の脱落防止部を設けたりすると、ピストンが大型化し、ピストンの端面積が小さい小型のダンパを作成することが非常に困難になる。
【００５７】
この点につき、ピストンの側面から逆止弁部材が挿入可能となる逆止弁挿入口を設けると、当該逆止弁挿入口から逆止弁部材を挿入するだけで逆止弁ホールへの逆止弁の設置が可能となるため、組立作業が非常に簡単となるのであり、又、ピストン本体とは別部材の押さえ板を取り付けたり、逆止弁ホールの一端に凸状の脱落防止部を設けたりする必要がないことから、ピストンの端面積を小さくすることができ、ダンパの小型化が可能になるのである。
【００５８】
即ち、ピストンの側面から逆止弁部材が挿入可能となる逆止弁挿入口を設けると、逆止弁ホールへの逆止弁部材の挿入作業が非常に簡単になるのであり、次いで逆止弁部材が逆止弁ホールへ挿入された状態のピストンをケーシングに嵌入すると、前記逆止弁挿入口はピストン内壁によって簡略的に塞がれ、これより、逆止弁部材の抜け落ちが簡単に防止されるのである。
【００５９】
なお、前記逆止弁挿入口の形状、大きさについては、逆止弁を速やかに挿入できる程度の形状及び大きさであれば特に限定されるものではなく、又、ピストンの側面に前記逆止弁挿入口を設ける手段としても特に限定されるものではないが、具体的に例えば、ピストンの側面に切り欠きや穴を設け、この切り欠きや穴を前記逆止弁ホールに連通させることによって逆止弁挿入口を形成する手段や、ピストンの側面及び端面に切り欠きを設け、この切り欠きを前記逆止弁ホールに連通させると共に、当該切り欠いたピストンの端面に蓋部材を接着、ネジ止めその他の手段で取り付け、ピストンの側面に置ける切り欠きと蓋部材との間に形成される穴を逆止弁挿入口として利用する手段等を挙げることができる。
【００６０】
もっとも、ピストンを加工する際の金型成型などにおいて、少なくとも逆止弁挿入口及び逆止弁ホールを一時に形成することが好ましく、このような手段を採用することにより、部品点数及び製造工程を減らすことによる低コスト化が実現できる上、ピストン自体の物理的強度を向上することができるのである。
【００６１】
ところで、逆止弁部材として単なる板状体や球状体などを用いると、逆止弁機構が閉塞する際に逆止弁部材が流体流通路を完全に塞いでしまう場合があり、このような場合にあっては非常に大きな制動力が発現するために、本発明装置の開閉動作に必要以上に大きなブレーキがかかり、かえって取り扱い性が悪くなるといった問題が発生する虞がある。
【００６２】
そこで、逆止弁部材が流体流通路を完全に覆わないように、当該逆止弁部材に対して、当該逆止弁部材を通過して流体が移動可能となるように流通量調節通路を形成したり、或いは、ピストンに対して、前記流体流通路とは別の位置に、該ピストンによって仕切られたケーシング内の二つの部屋の一方からもう一方の部屋へ流体が移動可能となるオリフィス通路を設けたりすることが好ましい。
【００６３】
即ち、当該逆止弁部材に対して、当該逆止弁部材を通過して流体が移動可能となるように流通量調節通路を形成することにより、逆止弁機構が閉塞する際に逆止弁部材が流体流通路を完全に覆っても、逆止弁部材に設けた流通量調節通路を介して流体が流体流通路に流入することができるのであり、即ち、このように構成することにより、発生する制動力が過剰にならずに、所望の制動力を得ることができるのである。
【００６４】
なお、この流通量調節通路としては、例えば、板状の逆止弁部材に対して、流体流通路の径サイズよりも小さい径サイズのオリフィス孔を設けることによって形成することができる。
【００６５】
しかしながら、逆止弁部材の一箇所にオリフィス孔を設ける場合にあっては、当該オリフィス孔と流体流通路とが正確に対峙しなければならないことから、逆止弁部材及び逆止弁ホールのサイズ、オリフィス孔の位置及び流体流通路の位置など、逆止弁部材の位置決めに相当の精度が必要となり、これらの各部分のいずれかにおいて精度の狂いが生じると、安定したダンパ効果を得られない虞がある。
【００６６】
特に、逆止弁挿入口と逆止弁ホールが連通していることから、逆止弁部材に対して逆止弁ホールの空間が比較的広くなる場合、即ち、逆止弁ホールにおける逆止弁部材の「遊び」が大きくなる場合があることから、単に逆止弁部材の一箇所にオリフィス孔を設けた場合にあっては、当該オリフィス孔と流体流通路とを正確に対峙させることが困難となる場合がある。
【００６７】
そのため、逆止弁部材に流通量調節通路としてのオリフィス孔を設ける場合にあっては、２以上の複数箇所にオリフィス孔を設けたり、オリフィス孔に加えて切り欠きや窪み、溝或いは突起を併用して設けたりすることが好ましい。
【００６８】
又、オリフィス孔を設けずに、逆止弁部材に切り欠きや窪み、溝或いは突起を単独ないしは併用して設け、これを流通量調節通路としても良いのである。
【００６９】
更に、逆止弁部材として正四面体、正六面体、正十二面体、正二十面体或いはサッカーボールのような五角形と六角形を適宜張り合わせたような多面体を用い、流体流通路と逆止弁部材との間にできる隙間を流通量調節通路としても良いのである。
【００７０】
一方、ピストンに対して、前記流体流通路とは別の位置にオリフィス通路を設けた場合にあっては、逆止弁機構が閉塞する際に逆止弁部材が流体流通路を完全に塞いでも、前記オリフィス通路を介して圧力室から非圧力室へ流体が移動可能となるのであり、即ち、ピストンに対してオリフィス通路を設けることにより、発生する制動力が過剰にならずに、所望の制動力を得ることができるのである。
【００７１】
なお、ピストンに対してオリフィス通路を設ける場合にあっても、前記流通量調節通路を設けた逆止弁部材を用いても良いが、この場合においては、流通量調節通路が設けられていない逆止弁部材、即ち、無孔の板状体や球状体などを用いることが特に好ましい。
【００７２】
即ち、ピストンに対して、流体流通路とは別の位置にオリフィス通路を設け、更に、逆止弁部材として無孔の板状体を用いた場合、ピストンの動きが制御される方向において得られる制動力はオリフィス通路の径サイズによってのみ決定され、一方、ピストンの動きがスムーズになる方向においての制動力はオリフィス通路及び流体流通路の各径サイズによってのみ決定されるのであり、これより各方向への動きにおける所望の制動力を簡単に調節・制御することができ、しかもオリフィス通路と流体流通路がそれぞれ独立した不変の径サイズの移動経路として構成されることから、その構造が非常にシンプルになり、ばらつきのない安定した制動力を得ることができるのである。
【００７３】
ところで、この種ダンパにおいては、ピストンへのピストンロッドの接続・固定につき、ピストンロッドがピストンを貫通した状態で固定することが、強度的な観点から好ましい。
【００７４】
特に、ピストンロッドを引いた際に制動力が生じるように逆止弁機構を設ける場合においては、ピストンロッドを引っ張る力と制動力がピストンとピストンロッドの接続位置に集中して掛かることから、ピストンロッドがピストンを貫通した状態で固定し、一定以上の接続強度を確保することが必要になる。
【００７５】
しかしながら、従来公知の逆止弁機構を設けたダンパにおいては、逆止弁ホールがピストン内部において大きな容積を占める上、逆止弁部材の抜け落ちを防止するために、ピストン本体とは別部材の押さえ板を取り付けたり、逆止弁ホールの一端に凸状の脱落防止部を設けたりする必要があり、これより、ピストンとピストンロッドの接続につき、ピストンロッドがピストンを貫通した状態で固定すること自体が困難となり、又、何とか貫通させても、ピストンに肉薄の部分が生じ、ピストン自体の剛性が確保できなくなるといった問題が生じる。
特に、この問題は、ピストンの端面積が小さい小型のダンパにおいて、顕著に現れるのである。
【００７６】
そのため、従来公知の逆止弁機構を設けたダンパにおいては、ピストンロッドがピストンを貫通した状態で固定されているものは事実上無く、当然、ピストンロッドを引いた際にダンパ効果が生じるように逆止弁機構を設けたものは存在していないのである。
【００７７】
この点につき、ピストンの側面に設けた逆止弁挿入口から逆止弁部材を挿入するダンパにあっては、ピストン本体とは別部材の押さえ板を取り付けたり、逆止弁ホールの一端に凸状の脱落防止部を設けたりする必要がなく、特に、逆止弁ホールをピストン側面に寄せて設けることができるため、ピストンとピストンロッドの接続につき、ピストンロッドがピストンを貫通するために充分なスペースを確保することができる上、ピストンロッドがピストンを貫通した状態で固定しても充分な剛性をピストンに確保することができるのである。
【００７８】
そして、ピストンの側面に設けた逆止弁挿入口から逆止弁部材を挿入するダンパにあっては、ピストンロッドがピストンを貫通した状態で固定することができるから、ピストンロッドを引いた際に制動力が生じるように逆止弁機構を設けることも可能となるのである。
【発明の効果】
【００７９】
本発明は、前記構成を有し、開閉動作域の終点に向かって滑らかに制動力が変化する新規な開閉装置である。
【００８０】
即ち、本発明装置においては、折り畳み式のステーを１ないし複数個備えると共に、前記折り畳み式のステーの少なくとも一つに、当該ステーの伸縮に応じて伸縮する直線運動式のダンパを備えているから、当該ステーの伸縮に応じて備え付けたダンパが伸縮し、これより、蓋部の開閉動作時における運動エネルギーが減衰され、開閉動作の終点における急停止を防止することができるのである。
【００８１】
又、備え付けたダンパは、前記ステーの伸縮に応じて伸縮すると共に揺動することから、開閉動作の中程においては比較的軽度の制動力が生じ、最終動作域に向かって徐々に強い制動力が生じるのである。
【００８２】
加えて、開閉装置に対して直接ダンパを備え付けた場合、開閉装置における蓋部が開状態の際に、更に過度の荷重が蓋部に加えられると、その負担がダンパに集中的に加えられて、ダンパが破損・変形するといった問題が生じるが、本発明装置においては、当該開閉装置に備え付けたステーにダンパを備えているから、ダンパに対して過度の負担が加えられることが緩和され、使用上の耐久性が向上するのである。
【発明を実施するための最良の形態】
【００８３】
以下、本発明の実施例を説明するが、本発明はこの実施例に限定されるものではない。
【００８４】
＜ダンパ＞
下記の（Ａ）〜（Ｃ）のダンパ１１（１１ａ〜１１ｃ）は、本発明装置において好適に用いられるダンパの具体例である。
【００８５】
（Ａ）ダンパ１１ａ
図２に示すダンパ１１ａは、流体を注入した略筒状のケーシング（シリンダ）２、ピストン３及びピストンロッド４からなる直線運動式のダンパであり、前記ピストン３には、ピストン３の移動に伴って圧力室から非圧力室へ向かって一定量の流体が通過可能となるオリフィス通路５が設けられる。
【００８６】
又、図２に示すダンパ１１ａにおいては、ケーシング２の内壁とピストン３の側面との気密性を確保するために、前記ピストン３の側面に凹溝３１を設け、当該凹溝３１にＯ−リング３２を嵌入している。
【００８７】
そして、図２に示すダンパ１１ａは、ピストン３に対して図中Ａの方向に力が加えられると、ケーシング２内の流体は、ピストン３に設けたオリフィス通路５を通過して、圧力室となる部屋２１側から非圧力室となる部屋２２側へ流れ、ピストン３が前記Ａの方向に移動する。
【００８８】
このとき、流体がオリフィス通路５を通過する際に生じる抵抗力によって、ピストン３は前記Ａの方向とは逆方向への抵抗力を受け、運動エネルギーが減衰されてピストン３の移動速度はゆっくりとなり、これにより制動力が得られる仕組みとなっている。
【００８９】
又、ピストン３に対して図中Ａの反対方向に力が加えられた場合にあっては、ピストン３は前記Ａの方向への抵抗力を受けるのであり、即ち、図１に示すダンパ１１ａは、ピストン３に対していずれの方向から力が加えられても同様のダンパ効果を発現するものである。
【００９０】
（Ｂ）ダンパ１１ｂ
図３に示すダンパ１１ｂは、流体を注入したケーシング２、ピストン３及びピストンロッド４からなる直線運動式のダンパであり、前記ピストン３には、該ピストン３の移動に伴って圧力室から非圧力室へ向かって流体が移動可能となる流体流通路６（メイン流通路６１及びバイパス流通路６２）が設けられ、当該流体流通路６の経路中には、逆止弁ホール７１及び逆止弁部材７２からなる逆止弁機構７が設けられている。
【００９１】
又、図３に示すダンパ１１ｂにおいては、ピストン３に対して、前記流体流通路６とは別の位置に、ピストン３の移動に伴って圧力室から非圧力室へ向かって一定量の流体が移動可能となるように、流体流通路６の径サイズよりも小さい径サイズのオリフィス通路５が設けられている。
【００９２】
更に、図３に示すダンパ１１ｂにおいては、ケーシング２の内壁とピストン３の側面との気密性を確保するために、前記ピストン３の側面に凹溝３１を設け、当該凹溝３１にＯ−リング３２を嵌入している。
【００９３】
そして、図３に示すダンパ１１ｂは、ピストン３に対して図中Ａの方向に力が加えられると、流体に押されるようにしてピストン３に設けた逆止弁ホール７１中の逆止弁部材７２が、流体流通路６におけるメイン流通路６１側に移動し、図３（ａ）に示すように流体流通路６を塞ぎ、これより逆止弁機構７が閉塞状態となる。
【００９４】
このため、流体が流体流通路６を通過して圧力室となる部屋２１から非圧力室となる部屋２２への移動が制限され、流体の移動は主としてピストン３に設けられたオリフィス通路５のみとなるため、ピストン３は前記Ａの方向とは逆方向への抵抗力を受けて運動エネルギーが減衰され、制動力が得られる仕組みとなっている。
【００９５】
一方、ピストン３に対して図中Ｂの方向に力が加えられると、流体に押されるようにしてピストン３に設けた逆止弁ホール７１中の逆止弁部材７２が、流体流通路６におけるバイパス流通路６２側に移動し、図３（ｂ）に示すように流体流通路６を開放し、これより逆止弁機構７が開放状態となる。
【００９６】
このため、流体が流体流通路６及びオリフィス通路５の双方を通過して圧力室となる部屋２２から非圧力室となる部屋２１へ移動することが可能となり、その際に殆んど抵抗力が生じないことから、ピストン３の動きがスムーズになる。
【００９７】
即ち、図３に示すダンパ１１ｂは、ピストンロッド４を押す方向への動作に対してのみ制動力が発生するように逆止弁機構７が設けられてなるものである。
【００９８】
そして、図３に示すダンパ１１ｂにおいては、ピストン３に対して、前記流体流通路６とは別の位置にオリフィス通路５を設けていることから、逆止弁機構７が閉塞する際に、逆止弁部材７２が流体流通路６を完全に塞いでも、前記オリフィス通路５を介して流体が移動可能となるのであり、即ち、ピストン３に対してオリフィス通路５を設けることにより、発生する制動力が過剰にならずに、オリフィス通路５の径サイズに応じた所望の制動力を得ることができるのである。
【００９９】
又、このダンパ１１ｂにおいては、図４の斜視図に示すように、ピストン３の側面から逆止弁部材７２が挿入可能となる逆止弁挿入口８が設けられており、これより、当該逆止弁挿入口８から逆止弁部材７２を挿入するだけで逆止弁ホール７１への逆止弁部材７２の設置が可能となり、組立作業が非常に簡便となるのである。
【０１００】
更に、逆止弁部材７２が逆止弁ホール７１へ挿入された状態のピストン３をケーシング２に嵌入すると、前記逆止弁挿入口８はケーシング２の内壁によって塞がれ、これより、逆止弁部材７２の抜け落ちが防止されるのである。
【０１０１】
（Ｃ）ダンパ１１ｃ
図５に示すダンパ１１ｃは、流体を注入したケーシング２、ピストン３及びピストンロッド４からなる直線運動式のダンパであり、前記ピストン３には、該ピストン３の移動に伴って圧力室から非圧力室へ向かって流体が移動可能となる流体流通路６（メイン流通路６１及びバイパス流通路６２）が設けられ、当該流体流通路６の経路中には、逆止弁ホール７１及び逆止弁部材７２からなる逆止弁機構７が設けられている。
【０１０２】
又、図５に示すダンパ１１ｃにおいては、ピストン３に対して、前記流体流通路６とは別の位置に、ピストン３の移動に伴って圧力室から非圧力室へ向かって一定量の流体が移動可能となるように、流体流通路６より小さい径サイズのオリフィス通路５が設けられている。
【０１０３】
更に、図５に示すダンパ１１ｃにおいては、ケーシング２の内壁とピストン３の側面との気密性を確保するために、前記ピストン３の側面に凹溝３１を設け、当該凹溝３１にＯ−リング３２を嵌入している。
【０１０４】
特に、図５に示すダンパ１１ｃにおいては、ピストンロッド４がピストン３を貫通した状態でナットを用いて固定されている。
【０１０５】
そして、図５に示すダンパ１１ｃは、ピストン３に対して図中Ａの方向に力が加えられると、流体に押されるようにしてピストン３に設けた逆止弁ホール７１中の逆止弁部材７２が、流体流通路６におけるバイパス流通路６１側に移動し、図５（ａ）に示すように流体流通路６を開放し、これより逆止弁機構７が開放状態となる。
【０１０６】
このため、流体が流通路７及びオリフィス通路５の双方を通過して圧力室となる部屋２１から非圧力室となる部屋２２へ移動することが可能となり、その際に殆んど抵抗力が生じないことから、ピストン３の動きがスムーズになる。
【０１０７】
一方、ピストン３に対して図中Ｂの方向に力が加えられると、流体に押されるようにしてピストン３に設けた逆止弁ホール７１中の逆止弁部材７２が、流体流通路におけるメイン流通路６１側に移動し、図５（ｂ）に示すように流体流通路６を塞ぎ、これより逆止弁機構７が閉塞状態となる。
【０１０８】
このため、流体が流通路７を通過して圧力室となる部屋２２から非圧力室となる部屋２１への移動が制限され、流体の移動は主としてピストン３に設けられたオリフィス通路５のみとなるため、ピストン３は前記Ｂの方向とは逆方向への抵抗力を受けることから、運動エネルギーが減衰され、制動力が得られる仕組みとなっている。
【０１０９】
即ち、図５に示すダンパ１１ｃは、ピストンロッド４を引いた際にダンパ効果が生じるように逆止弁機構を設けてなるものであり、特に、ピストンロッド４を引っ張る力と制動力がピストン３とピストンロッド４の接続位置に集中して掛かることから、一定以上の接続強度を確保すべく、ピストンロッド４がピストン３を貫通した状態で固定されたものである。
【０１１０】
そして、図５に示すダンパ１１ｃは、図６（ａ）の斜視図に示すように、ピストン３の側面から逆止弁部材７２が挿入可能となる逆止弁挿入口８を設けたものであり、当該逆止弁挿入口８から逆止弁部材７２を挿入するだけで逆止弁ホール７１への逆止弁部材７２の設置が可能となるのであり、組立作業が非常に簡便となる。
【０１１１】
又、逆止弁部材７２が逆止弁ホール７１へ挿入された状態のピストン３をケーシング２に嵌入すると、前記逆止弁挿入口８はケーシング２の内壁によって塞がれ、これより、逆止弁部材７２の抜け落ちを簡単に防止することができるのである。
【０１１２】
なお、図５に示すダンパ１１ｃにおいては、ピストンロッド４がピストン３を貫通するために充分なスペースを確保するために、図６（ｂ）の正面図に示すように、逆止弁ホール７１の底面形状及び逆止弁部材７２の形状として、円の一部を切り取ったような形状のものを採用し、逆止弁ホール７１をピストン３側面に極力寄せて設けている。
【実施例１】
【０１１３】
図７は、実施例１に係る本発明の開閉装置１を示す模式図（（ａ）閉状態の斜視図、（ｂ）開状態の側面図）である。
【０１１４】
この開閉装置１は、金具１２を介して、基部１３に対して蓋部１４を揺動可能に取り付け、蓋部１４が開閉可能となるように構成している。
【０１１５】
又、この開閉装置１においては、蓋部１４の開閉に応じて２本のアーム（１５１、１５２）が折り畳まれて伸縮するステー１５を備えており、このステー１５は、前記基部１３及び前記蓋部１４にそれぞれアーム１５１とアーム１５２の端部を枢着すると共に、アーム１５１のもう一端とアーム１５２のもう一端から中心へ向かって少し入った辺りを枢着することにより、アーム１５２の端部をアーム同士の枢着点より外側に若干突出させたものである。
【０１１６】
更に、このステー１５には、当該ステー１５の伸縮に応じて伸縮するダンパ１１が備えられている。
【０１１７】
そして、本実施例の開閉装置１は、ダンパ１１におけるケーシングを、アーム同士の枢着点より外側にある前記アーム１５２における突出した端部に枢着してなり、蓋部１４が開状態の際に、ダンパ１１が縮状態となるものである。
【０１１８】
更に詳しくは、本実施例の開閉装置１においては、ダンパ１１におけるピストンロッド４の端部を、アーム１５１における基部１３側端部近辺に枢着し、一方、当該ダンパ１１におけるケーシング２の端部をアーム１５２における前記突出した端部に枢着しているから、ステー１５が開状態の際にはダンパ１１が縮状態となり、一方、前記ステー１５が閉状態の際にはダンパが伸状態となるのである。
【０１１９】
これより、本実施例の開閉装置１において、前述したダンパ１１ｂのようなピストンロッド４を押した際に制動力が生じるダンパ１１を用いた場合は、蓋部１４を開く際に強い制動力が生じるのであり、逆に、前述したダンパ１１ｃのようなピストンロッド４を引いた際に制動力が生じるダンパ１１を用いた場合は、蓋部１４を閉める際に強い制動力が生じるのである。
【０１２０】
勿論、前述したダンパ１１ａのようなピストンロッド４を押した際にも、引いた際にも制動力が生じるダンパ１１を用いた場合は、蓋部１４を開く際にも、閉める際にも強い制動力が生じるのである。
【０１２１】
そして、備え付けたダンパ１１は、前記ステー１５の伸縮に応じて伸縮すると共に揺動することから、開閉動作の中程においては比較的軽度の制動力が生じ、最終動作域に向かって徐々に強い制動力が生じるのである。
【０１２２】
なお、本実施例の開閉装置１には、アーム１５２の突出した端部の一部をアーム１５１の方向に向かって折り曲げて、立ち上げてなるストッパ１０が備えられており、蓋部１４が一定の開状態となったときに、当該ストッパ１０がアーム１５１の側面に引っ掛かり、前記蓋部１４が一定の開状態で維持されるように構成されている。
【実施例２】
【０１２３】
図８は、実施例２に係る本発明の開閉装置１を示す模式図（（ａ）閉状態の斜視図、（ｂ）開状態の側面図）である。
【０１２４】
この開閉装置１は、金具１２を介して、基部１３に対して蓋部１４を揺動可能に取り付け、蓋部１４が開閉可能となるように構成している。
【０１２５】
又、この開閉装置１においては、蓋部１４の開閉に応じて２本のアーム（１５１、１５２）が折り畳まれて伸縮するステー１５を備えており、このステー１５は、前記基部１３及び前記蓋部１４にそれぞれアーム１５１とアーム１５２の端部を枢着すると共に、アーム１５１のもう一端とアーム１５２のもう一端から中心へ向かって少し入った辺りを枢着することにより、アーム１５２の端部をアーム同士の枢着点より外側に若干突出させたものである。
【０１２６】
更に、このステー１５には、当該ステー１５の伸縮に応じて伸縮するダンパ１１が備えられている。
【０１２７】
そして、本実施例の開閉装置１は、ダンパ１１におけるケーシング２の枢着位置を、アーム同士の枢着点より内側に枢着してなり、これより、蓋部１４が開状態の際に、ダンパ１１が伸状態となるものである。
【０１２８】
更に詳しくは、本実施例の開閉装置１においては、ダンパ１１におけるピストンロッド４の端部を、アーム１５１における基部１３側端部近辺に枢着し、一方、当該ダンパ１１におけるケーシング２の端部をアーム１５２における中程辺りに枢着しているから、ステー１５が開状態の際にはダンパ１１が伸状態となり、一方、前記ステー１５が閉状態の際にはダンパが縮状態となるのである。
【０１２９】
これより、本実施例の開閉装置１において、前述したダンパ１１ｂのようなピストンロッド４を押した際に制動力が生じるダンパ１１を用いた場合は、蓋部１４を閉める際に強い制動力が生じるのであり、逆に、前述したダンパ１１ｃのようなピストンロッド４を引いた際に制動力が生じるダンパ１１を用いた場合は、蓋部１４を開く際に強い制動力が生じるのである。
【０１３０】
勿論、前述したダンパ１１ａのようなピストンロッド４を押した際にも、引いた際にも制動力が生じるダンパ１１を用いた場合は、蓋部１４を開く際にも、閉める際にも強い制動力が生じるのである。
【０１３１】
そして、備え付けたダンパ１１は、前記ステー１５の伸縮に応じて伸縮すると共に揺動することから、開閉動作の中程においては比較的軽度の制動力が生じ、最終動作域に向かって徐々に強い制動力が生じるのである。
【０１３２】
なお、本実施例の開閉装置１においては、アーム１５２の突出した端部の一部をアーム１５１の方向に向かって折り曲げて、立ち上げてなるストッパ１０が備えられており、蓋部１４が一定の開状態となったときに、当該ストッパ１０がアーム１５１の側面に引っ掛かり、前記蓋部１４が一定の開状態で維持されるように構成されている。
【実施例３】
【０１３３】
図９は、実施例３に係る本発明の開閉装置１を示す模式図（（ａ）閉状態の側面図、（ｂ）開状態の側面図）である。
【０１３４】
この開閉装置１は、基部１３に対して蓋部１４を揺動可能に枢着し、蓋部１４が開閉可能となるように構成している。
【０１３５】
又、この開閉装置１においては、蓋部１４の開閉に応じて２本のアーム（１５１、１５２）が折り畳まれて伸縮するステー１５を備えており、このステー１５は、前記基部１３及び前記蓋部１４にそれぞれアーム１５１とアーム１５２の端部を枢着すると共に、アーム１５２のもう一端とアーム１５１のもう一端から中心へ向かって少し入った辺りを枢着することにより、アーム１５１の端部をアーム同士の枢着点より外側に若干突出させたものである。
【０１３６】
更に、このステー１５には、当該ステー１５の伸縮に応じて伸縮するダンパ１１が備えられている。
【０１３７】
そして、本実施例の開閉装置１は、ダンパ１１におけるケーシング４の枢着位置を、アーム同士の枢着点より内側に枢着してなり、これより、蓋部１４が開状態の際に、ダンパ１１が伸状態となるものである。
【０１３８】
更に詳しくは、本実施例の開閉装置１においては、ダンパ１１におけるピストンロッド４の端部を、アーム１５１と共に基部に枢着し、一方、当該ダンパ１１におけるケーシング２の端部をアーム１５２の中ほどに枢着しているから、ステー１５が開状態の際にはダンパ１１が伸状態となり、一方、前記ステー１５が閉状態の際にはダンパが縮状態となるのである。
【０１３９】
これより、本実施例の開閉装置１において、前述したダンパ１１ｂのようなピストンロッド４を押した際に制動力が生じるダンパ１１を用いた場合は、蓋部１４を閉める際に強い制動力が生じるのであり、逆に、前述したダンパ１１ｃのようなピストンロッド４を引いた際に制動力が生じるダンパ１１を用いた場合は、蓋部１４を開く際に強い制動力が生じるのである。
【０１４０】
勿論、前述したダンパ１１ａのようなピストンロッド４を押した際にも、引いた際にも制動力が生じるダンパ１１を用いた場合は、蓋部１４を開く際にも、閉める際にも強い制動力が生じるのである。
【０１４１】
そして、備え付けたダンパ１１は、前記ステー１５の伸縮に応じて伸縮すると共に揺動することから、開閉動作の中程においては比較的軽度の制動力が生じ、最終動作域に向かって徐々に強い制動力が生じるのである。
【０１４２】
なお、本実施例の開閉装置１には、アーム１５２におけるアーム１５１との枢着点近辺の一部をアーム１５１の方向に向かって折り曲げて、立ち上げてなるストッパ１０が備えられており、蓋部１４が一定の開状態となったときに、当該ストッパ１０がアーム１５１の突出した端部側面に引っ掛かり、前記蓋部１４が一定の開状態で維持されるように構成されている。
【図面の簡単な説明】
【０１４３】
【図１】図１は、従来公知の回転運動式のダンパを示す断面図である。
【図２】図２は、本発明装置に好適に用いられるダンパを示す断面図である。
【図３】図３は、本発明装置に好適に用いられる別のダンパを示す断面図である。
【図４】図４は、図３に示したダンパにおける逆止弁部材の挿入を示す斜視図である。
【図５】図５は、本発明装置に好適に用いられる更に別のダンパを示す断面図である。
【図６】図６は、図３に示したダンパにおける逆止弁部材の挿入を示す斜視図である。
【図７】図７は、実施例１に係る本発明の開閉装置を示す模式図である。
【図８】図８は、実施例２に係る本発明の開閉装置を示す模式図である。
【図９】図９は、実施例３に係る本発明の開閉装置を示す模式図である。
【符号の説明】
【０１４４】
１  開閉装置
２  ケーシング
３  ピストン
４  ピストンロッド
５  オリフィス通路
６  流体流通路
７  逆止弁機構
８  逆止弁挿入口
９  隔壁
１０  ストッパ
１１  ダンパ
１２  金具
１３  基部
１４  蓋部
１５  ステー
【図１】
2007023556.tif 000003
【図２】
2007023556.tif 000004
【図３】
2007023556.tif 000005
【図４】
2007023556.tif 000006
【図５】
2007023556.tif 000007
【図６】
2007023556.tif 000008
【図７】
2007023556.tif 000009
【図８】
2007023556.tif 000010
【図９】
2007023556.tif 000011